(57)【要約】【課題】詰め替えの際に、中身がこぼれず、円滑に流れる詰め替え容器用口栓、及び詰め替え容器を提供する。【解決手段】本体容器１００に中身を補充する詰め替え容器用口栓１であって、一端から他端まで延びる筒状に形成され、他端から中身を注ぎ出す注出部１０と、注出部１０の外周面の側で、他端の側から延びる内周面に、本体容器１００の口部１０１に形成されているおねじ１０４とかみ合わされるめねじ１４が形成された側壁部１２とを有し、注出部１０にバルブ３０が一体に形成される。【選択図】図７
2017114561.tif 000002
【特許請求の範囲】
【請求項１】
本体容器に中身を補充する詰め替え容器用口栓であって、
一端から他端まで延びる筒状に形成され、前記他端から前記中身を注ぎ出す注出部と、
前記注出部の外周面の側で、前記他端の側から延びる内周面に、前記本体容器の口部に形成されているねじとかみ合わされるねじが形成された側壁部と
を有し、
前記注出部に流量制御部が一体に形成されることを特徴とする
詰め替え容器用口栓。
【請求項２】
前記流量制御部は、
前記一端の側の面と、前記他端の側の面との間を貫通する切り込みを有する弾性体
からなり、
前記切り込みは、前記弾性体の前記他端の側への変形状態において前記中身を注ぎ出し、前記変形状態が解除された状態において流れを締め切ることを特徴とする
請求項１に記載の詰め替え容器用口栓。
【請求項３】
前記弾性体は、前記他端の側に凸に湾曲することを特徴とする
請求項２に記載の詰め替え容器用口栓。
【請求項４】
前記注出部の前記他端には取り外し可能な第１の閉塞部材が取り付けられることを特徴とする
請求項１乃至３のいずれか１項に記載の詰め替え容器用口栓。
【請求項５】
前記注出部は、前記他端で内方に突出する内周リブ
を更に有することを特徴とする
請求項１乃至４のいずれか１項に記載の詰め替え容器用口栓。
【請求項６】
前記側壁部の他端には取り外し可能な第２の閉塞部材が取り付けられることを特徴とする
請求項１乃至５のいずれか１項に記載の詰め替え容器用口栓。
【請求項７】
前記側壁部は、前記側壁部の他端の外周面から外方に突出する外周リブ
を更に有することを特徴とする
請求項１乃至６のいずれか１項に記載の詰め替え容器用口栓。
【請求項８】
前記注出部は、前記外周面に溝
を更に有し、
前記口部の内周面と、前記注出部の前記外周面とが嵌合した際の嵌合面は前記溝以外において液密となるように構成されていることを特徴とする
請求項１乃至７のいずれか１項に記載の詰め替え容器用口栓。
【請求項９】
前記注出部は、前記他端の側に向かって内方に収縮する注出部誘い面
を更に備えることを特徴とする
請求項１乃至８のいずれか１項に記載の詰め替え容器用口栓。
【請求項１０】
前記口部の外周面に前記ねじが形成されている前記本体容器に中身を補充する詰め替え容器であって、
前記詰め替え容器は、請求項１乃至９のいずれか１項に記載の詰め替え容器用口栓を備えることを特徴とする
詰め替え容器。
【発明の詳細な説明】
【技術分野】
【０００１】
本発明は、詰め替え容器用口栓、及び詰め替え容器に関し、より詳細には、本体容器に中身を補充する詰め替え容器用の口栓、及びこれを備えた詰め替え容器に関する。
【背景技術】
【０００２】
堅固な材料で構成されていたり、液状の中身を適量だけ取り出せるディスペンサが付属していたりすることで耐久性や、利便性等の高い本体容器に対し、中身を補充するための詰め替え容器が広く用いられている。詰め替え容器は、軽装であったり、柔軟な材料が用いられていたりすることで、材料の使用量の削減や、廃棄物の減容等が実現されている。詰め替え容器から本体容器への中身の補充を容易にするための詰め替え容器用口栓の形状が種々検討されている。
【０００３】
特許文献１には、筒状開口部の外面にねじを有する本体容器に充填される詰め替え用の内容物を収納する詰め替え容器用のスパウトであって、スパウトの筒部の内面には、本体容器の筒状開口部の外面に設けられたねじと螺合するねじが設けられていること、更に、スパウトが本体容器の筒状開口部に挿入可能な管体を筒部内に有することを特徴とする詰め替え容器用スパウトが開示されている。
【０００４】
更に、特許文献２には、本容器に詰め替える内容物が収容される容器本体と、容器本体の口部に装着されると共に注出口が形成され、本容器の注入口部の開口端縁に当接可能で且つ注出口より径方向の外側に位置する当接部が設けられた装着筒と、注出口を閉塞するシール壁と、を備え、シール壁は、外周縁部が注出口の内周面に接続されるとともに、シール壁に対して直交する放射軸を中心にして放射方向に延びるスリット状の切込み部が複数形成され、外周縁部から放射軸に向かうにしたがって漸次放射軸方向に沿う容器本体の内側へ向けて傾斜し、シール壁は、外周縁部を支点にして揺動するようにして変形可能とされ、放射軸方向に沿う容器本体の外側へ向けて変形したときに切込み部の隙間が閉塞されることを特徴とする詰め替え容器が開示されている。
【先行技術文献】
【特許文献】
【０００５】
【特許文献１】特開２００６−０８９１３３号公報
【特許文献２】特開２０１２−０３０８６０号公報
【発明の概要】
【発明が解決しようとする課題】
【０００６】
飲料等の商品に広く用いられている口栓付きパウチは詰め替え用の容器としても利用されている。本体容器に中身の補充が行われる際には詰め替え用パウチのキャップが開けられ、口栓が、本体容器の口に差し込まれる。その際に、場合によっては勢い余って中身がこぼれてしまうことがある。
【０００７】
更に、例えば、中身が、防腐剤等が無添加の化粧品では、埃や、雑菌等が混入してしまうと品質が維持できなくなることから、詰め替えの際に異物の混入を防ぐ対策が必要とされる場合も数多く存在する。
【０００８】
特許文献１の詰め替え容器用スパウトによれば、本体容器から詰め替え容器が外れるおそれがなく、本体容器に対して詰め替え容器を確実に連結することができるとされている。そして、特許文献１の詰め替え容器用スパウトによれば、詰め替え容器から本体容器に移し替えられる内容物が本体容器の筒状開口部の外側に漏れ出すことを確実に防止できるという優れた利点が得られるとされている。
【０００９】
しかしながら、特許文献１の詰め替え容器用スパウトでは、本体容器の筒状開口部に、詰め替え容器用スパウトを連結するまでの間には依然として内容物が漏れ出すことがある。
【００１０】
一方で、特許文献２の詰め替え容器によれば、詰め替え作業を簡便に行うことができ、詰め替え時に内容物をこぼし難く、本容器内の内容物が残留している場合であっても詰め替え作業を行うことができるとされている。
【００１１】
しかしながら、特許文献２の詰め替え容器は、本容器のねじとかみ合うねじを備えておらず、詰め替え時の本容器と、詰め替え容器との連結が不確実であり、内容物が確実に漏れ出さないとは言えない。更に、特許文献２の詰め替え容器では、シール壁が別部材になる等、部品点数が多く、組み立て作業が煩雑となってしまい、費用を抑制することができない。
【００１２】
そこで本発明の目的は、詰め替えの際に、中身がこぼれず、円滑に流れる詰め替え容器用口栓、及び詰め替え容器を提供することにある。
【課題を解決するための手段】
【００１３】
上記課題を解決するため、本発明は、本体容器に中身を補充する詰め替え容器用口栓であって、一端から他端まで延びる筒状に形成され、前記他端から前記中身を注ぎ出す注出部と、前記注出部の外周面の側で、前記他端の側から延びる内周面に、前記本体容器の口部に形成されているねじとかみ合わされるねじが形成された側壁部とを有し、前記注出部に流量制御部が一体に形成されることを特徴とする。
【００１４】
更に、前記流量制御部は、前記一端の側の面と、前記他端の側の面との間を貫通する切り込みを有する弾性体からなり、前記切り込みは、前記弾性体の前記他端の側への変形状態において前記中身を注ぎ出し、前記変形状態が解除された状態において流れを締め切ることを特徴とする。
【００１５】
更に、前記弾性体は、前記他端の側に凸に湾曲することを特徴とする。
【００１６】
更に、前記注出部の前記他端には取り外し可能な第１の閉塞部材が取り付けられることを特徴とする。
【００１７】
前記注出部は、前記他端で内方に突出する内周リブを更に有することを特徴とする。
【００１８】
更に、前記側壁部の他端には取り外し可能な第２の閉塞部材が取り付けられることを特徴とする。
【００１９】
前記側壁部は、前記側壁部の他端の外周面から外方に突出する外周リブを更に有することを特徴とする。
【００２０】
前記注出部は、前記外周面に溝を更に有し、前記口部の内周面と、前記注出部の前記外周面とが嵌合した際の嵌合面は前記溝以外において液密となるように構成されていることを特徴とする。
【００２１】
前記注出部は、前記他端の側に向かって内方に収縮する注出部誘い面を更に備えることを特徴とする。
【００２２】
更に、本発明は、前記口部の外周面に前記ねじが形成されている前記本体容器に中身を補充する詰め替え容器であって、前記詰め替え容器は、上述されたいずれかの詰め替え容器用口栓を備えることを特徴とする。
【発明の効果】
【００２３】
本発明によれば、本体容器に中身を補充する詰め替え容器用口栓であって、一端から他端まで延びる筒状に形成され、他端から中身を注ぎ出す注出部と、注出部の外周面の側で、他端の側から延びる内周面に、本体容器の口部に形成されているねじとかみ合わされるねじが形成された側壁部とを有し、注出部に流量制御部が一体に形成されるので、詰め替えの際に、中身がこぼれず、円滑に流れる詰め替え容器用口栓を提供することができる。
【００２４】
更に、流量制御部は、一端の側の面と、他端の側の面との間を貫通する切り込みを有する弾性体からなり、切り込みは、弾性体の他端の側への変形状態において中身を注ぎ出し、変形状態が解除された状態において流れを締め切る構成によれば、詰め替えの際に、より確実に中身がこぼれず、円滑に流れる詰め替え容器用口栓を提供することができる。
【００２５】
更に、弾性体は、他端の側に凸に湾曲する構成によれば、詰め替えの際に、より確実に中身がこぼれず、円滑に流れる詰め替え容器用口栓を提供することができる。
【００２６】
更に、注出部の他端には取り外し可能な第１の閉塞部材が取り付けられる構成によれば、詰め替えの際に、より確実に中身がこぼれず、円滑に流れる詰め替え容器用口栓を提供することができる。
【００２７】
注出部は、他端で内方に突出する内周リブを更に有する構成によれば、詰め替えの際に、より確実に中身がこぼれず、円滑に流れる詰め替え容器用口栓を提供することができる。
【００２８】
更に、側壁部の他端には取り外し可能な第２の閉塞部材が取り付けられる構成によれば、詰め替えの際に、中身がこぼれず、円滑に流れ、かつ異物が混入しない詰め替え容器用口栓を提供することができる。
【００２９】
側壁部は、側壁部の他端の外周面から外方に突出する外周リブを更に有する構成によれば、表面積の広がった口栓本体の他端を効果的に活用することができる。そして、口栓本体の他端を下側にして載置しやすくしたり、口栓本体の他端に閉塞部材を取り付けやすくしたりすることができる。
【００３０】
注出部は、外周面に溝を更に有し、口部の内周面と、注出部の外周面とが嵌合した際の嵌合面は溝以外において液密となるように構成されているので、詰め替えの際に、より確実に中身がこぼれず、より円滑に流れる詰め替え容器用口栓を提供することができる。
【００３１】
注出部は、他端の側に向かって内方に収縮する注出部誘い面を更に備える構成によれば、詰め替えの際に、より確実に中身がこぼれず、円滑に流れる詰め替え容器用口栓を提供することができる。
【００３２】
更に、本発明によれば、口部の外周面にねじが形成されている本体容器に中身を補充する詰め替え容器であって、詰め替え容器は、上述されたいずれかの詰め替え容器用口栓を備えるので、詰め替えの際に、中身がこぼれず、円滑に流れる詰め替え容器用口栓を備えた詰め替え容器を提供することができる。
【図面の簡単な説明】
【００３３】
【図１】本実施形態に係る詰め替え容器用口栓の一例が示された平面図である。
【図２】図１の詰め替え容器用口栓の正面図である。
【図３】図１の詰め替え容器用口栓の側面図である。
【図４】図１の詰め替え容器用口栓の底面図である。
【図５】図１のＶ−Ｖ線断面図である。
【図６】本実施形態に係る詰め替え容器用口栓を備えた詰め替え容器の一例が示された正面図である。
【図７】本体容器に、詰め替え容器の中身の注出される状態が示された要部断面図である。
【図８】詰め替え容器用口栓の変形例が示された平面図である。
【図９】変形例に係る詰め替え容器の中身の注出される状態が示された要部断面図である。
【図１０】詰め替え容器用口栓の別の変形例が示された平面図である。
【図１１】別の変形例に係る詰め替え容器の中身の注出される状態が示された要部断面図である。
【図１２】本体容器への別の変形例に係る詰め替え容器の連結時の状態が示された要部断面図である。
【図１３】別の実施形態に係る詰め替え容器の中身の注出される状態が示された要部断面図である。
【図１４】別の実施形態の変形例に係る詰め替え容器の中身の注出される状態が示された要部断面図である。
【図１５】別の実施形態の別の変形例に係る詰め替え容器の中身の注出される状態が示された要部断面図である。
【図１６】別の実施形態に係る詰め替え容器用口栓の一例が示された断面図である。
【発明を実施するための形態】
【００３４】
以下に、図面を参照しつつ、本発明の実施形態の詳細を説明する。まず、ここでは図示せぬ本体容器に中身を補充する本実施形態に係る詰め替え容器を構成する詰め替え容器用口栓について詳細に説明する。図１は、本実施形態に係る詰め替え容器用口栓１の一例が示された平面図である。ここでは、説明の便宜上、平面視で円状の詰め替え容器用口栓１の側壁部１２から直径方向の両側に略三角形状に突出する接着部１１、１１が位置する図１における左右方向がそれぞれ左、及び右とされる。なお、ここでの平面図では、詰め替えの際に本体容器と連結される側が示されている。
【００３５】
図１に示されるように、詰め替え容器用口栓１は、注出部１０と、側壁部１２とを有する。なお、好ましくは、詰め替え容器用口栓１の表面には、図示せぬ摘み部によって取り外し可能な第２の閉塞部材としてのＰシール６０が取り付けられている。ここで、Ｐシール６０とは、開口部をふさぐためのシールのことを言う。図１に示される平面図においては、詰め替え容器用口栓１の各構成の大部分がＰシール６０によって隠れた状態となっている。本体容器と連結される側に、取り外し可能なＰシール６０が取り付けられる構成によって、Ｐシール６０が取り外されるまで詰め替え容器用口栓１の内部をきれいな状態に保つことができ、詰め替えの際に外部から異物が混入することを防止することができる。詰め替え容器用口栓１へのＰシール６０の取り付けの方法は熱等による融着でも良く、接着剤等による貼り付けでも良い。
【００３６】
図２は図１の詰め替え容器用口栓１の正面図であり、図３はその側面図であり、図４はその底面図である。ここでは、接着部１１が位置する図２での下側が詰め替え容器用口栓１の一端の側とされ、Ｐシール６０が取り付けられる図２での上側が詰め替え容器用口栓１の他端の側とされる。なお、説明の便宜上、詰め替え容器用口栓１の一端の側（図２での下側）、及び他端の側（図２での上側）が詰め替え容器用口栓１に限らずそれぞれ単に、一端の側、及び他端の側と称される。
【００３７】
詰め替え容器用口栓１は、円筒状の側壁部１２を有する。更に、詰め替え容器用口栓１は、図２等に例示されるように、側壁部１２の他端の外周面から外方に突出する外周リブ１３を有することが好ましい。外周リブ１３を有する構成によれば、表面積の広がった詰め替え容器用口栓１の他端の側を効果的に活用することができる。より具体的に、外周リブ１３を有する構成によって例えば、詰め替え容器用口栓１の他端の側を下側にした状態で載置しやすくしたり、側壁部１２の他端にＰシール６０を取り付けやすくしたりすることができる。
【００３８】
なお、外周リブ１３は、Ｐシール６０に限らず、他の閉塞部材の取り付け部として、シュリンク包装の抜け止めや、オーバーキャップとの嵌合等に用いられても良い。これらの他の閉塞部材によっても、詰め替えの際に、塵埃や、雑菌等の異物が外部から混入することを防止することができる。これらの閉塞部材の材料は、異物の混入が防止されるものであれば特に限定はなく、例えば、ポリエチレン、ポリプロピレン、ポリエチレンテレフタラート、ポリスチレン、ポリ塩化ビニルが用いられる。なお、外周リブ１３は、閉塞部材の取り付けやすさの点で、側壁部１２の他端の外周面から外方に突出することが好ましい。しかしながら、外周リブ１３は、成形が可能であること、及び閉塞部材の取り付けが可能であることという条件を満たすのであれば、内方に突出する形態であっても構わない。
【００３９】
詰め替え容器用口栓１には、側壁部１２の一端に連接して接着部１１が設けられている。接着部１１は、詰め替え容器用口栓１の取り付けの対象である詰め替え容器の形状に応じて形成されれば良い。
【００４０】
本実施形態においては、可撓性を有する材料が重ね合わされた上で接着されて袋状に形成されたパウチのような容器への取り付けに用いられる舟形の接着部１１が例示されている。すなわち、図４の底面視で示されるように接着部１１は、詰め替え容器用口栓１の正面（図４の上）、及び背面（図４の下）の両側において、円弧状の中央の部分から接線状に左右両側に延びて形成されている。そして、図２に示される接着部１１の正面側の側面が詰め替え容器の一側の内面に接着され、図３に、その半分が示される接着部１１の背面側の側面が詰め替え容器の他側の内面に接着されることによって詰め替え容器用口栓１が詰め替え容器に取り付けられる。
【００４１】
なお、接着部１１の底面視における円弧状の部分の内方には円形の開口が形成されており、この開口が、中身の流路部２０を形成する。
【００４２】
図５は図１のＶ−Ｖ線断面図である。注出部１０は、詰め替え容器用口栓１の一端から他端まで延びる筒状に構成される。注出部１０の内側の一端は、接着部１１に形成された開口の周縁となる。すなわち、注出部１０の内側は、接着部１１に形成された開口から連通しており、中身の流路部２０となる。そして、注出部１０の他端から中身が注ぎ出されるように構成される。なお、注出部１０の他端と、側壁部１２の他端との位置関係については特に限定されない。しかしながら、注出部１０の他端は、側壁部１２の他端と面一に形成されると注出部１０、及び側壁部１２の両方にＰシール６０を貼り付けやすくなり、密封性の観点から好ましい。
【００４３】
注出部１０の外周面である注出部側壁４０の側に位置する側壁部１２には、他端の側から延びる内周面にねじ、すなわちめねじ１４が形成される。めねじ１４は、本体容器の口部に形成されているねじ、すなわちおねじとかみ合って、本体容器と、詰め替え容器とが緩みにくく、確実に連結される形状であれば良い。
【００４４】
より具体的には、本体容器のおねじの寸法に合わせて、めねじ１４の谷径（側壁部１２の内周面の外径に相当）や、山径、ピッチ（一端の側と、他端の側とで隣り合うめねじ１４、１４におけるそれぞれのねじ山（ねじ谷）間の距離）等が形成されている。めねじ１４は、本体容器のおねじに対応したものであれば良く、その形状は、一条ねじであっても良く、二条ねじや、三条ねじ等の多条ねじであっても良い。更に、平面視において、めねじ１４の一方の端から他方の端までの間を周回する角度である巻き角度についても本体容器と、詰め替え容器とが緩みにくく、確実に連結される角度であれば良い。
【００４５】
詰め替え容器用口栓１は、めねじ１４よりも一端の側に、側壁部１２の内周面の一端から内方に突出して注出部側壁４０まで延びる肩部１５を有している。側壁部１２と、肩部１５と、注出部側壁４０との３方で囲まれる領域に形成される空隙は空間部２１と称される。この空間部２１は、本体容器に、詰め替え容器が取り付けられる際の本体容器の口部が差し込まれる箇所となる。そして、肩部１５は、本体容器に対して詰め替え容器がねじ込まれた際に本体容器の口部天面が当たることで本体容器に対する詰め替え容器の回転が止まるように構成されている。なお、肩部１５は、接着部１１と、側壁部１２との境に合わせると形成しやすくて良い。
【００４６】
注出部１０は、めねじ１４の回転軸と同軸に形成される。注出部１０の他端には、軸方向に貫通する開口が形成される。この注出部１０の開口には流量制御部が一体に形成される。ここで、流量制御部とは、注出部１０の一端の側の圧力が高まると、注出部１０の一端の側から他端の側へと中身が流れ、その圧力が取り除かれると中身の流れが締め切られるといういわゆる弁の機能を有するものである。図５に例示された詰め替え容器用口栓１には流量制御部を構成する弾性体としてのバルブ３０が、注出部１０の開口を封止する位置、すなわち注出部１０の他端、かつ内周側に形成されている。
【００４７】
バルブ３０は、バルブ３０の一端の側の面と、他端の側の面との間、すなわちバルブ３０の厚さ方向を貫通する切り込み３１を有する。切り込み３１は例えば、図１、及び図４に示されるように平面視で放射状（十文字状）に形成されている。
【００４８】
そして、バルブ３０は、注出部１０の一端の側の圧力が高まると、切り込み３１の端の付近を支点にして注出部１０の他端の側に向かって湾曲するように弾性変形する構成とされる。このように、バルブ３０が弾性変形する構成によって、バルブ３０の他端の側への変形状態において、切り込み３１の特に交点、すなわちバルブ３０の中心に空隙が形成され、この空隙を通過して中身が注ぎ出されることとなる。一方で、圧力が取り除かれるとバルブ３０は、変形状態が解除された状態である元の形に戻るため、切り込み３１が閉じられて中身の流れが締め切られることとなる。
【００４９】
バルブ３０は、中身の自重によってかかる圧力では中身が通過する程度にまでは変形せず、詰め替え容器が握られた際にかかる圧力では中身が通過する程度に変形するように設計される。このようなバルブ３０を備える詰め替え容器用口栓１は、詰め替え容器の口部を下向きにしても中身が出ず、更に、詰め替え容器を握る力を弱めた際の注出部１０の液切れが良いという効果を有する。したがって、詰め替え容器用口栓１を備えた詰め替え容器では詰め替えを途中で、一時的に停止することができる。このような詰め替え容器では例えば、比較的容量の小さな複数の本体容器に小分けにするような使い方ができる。なお、図１、及び図４に例示された放射状の切り込み３１は比較的粘度の低い中身を少ない流量で注出するのに適している。
【００５０】
バルブ３０の厚さは０．１ ｍｍ以上、０．５ ｍｍ以下であることが好ましく、０．２ ｍｍであることがより好ましい。バルブ３０の厚さがこの範囲であることによって中身の流量を制御することができる。一方で、バルブ３０の厚さが０．１ ｍｍ未満であると、中身の自重によってかかる圧力でバルブ３０が変形しやすくなってしまい、バルブ３０の厚さが０．５ ｍｍを超えると詰め替え容器を強く握ってもバルブ３０が変形しにくくなってしまう。
【００５１】
このように、本実施形態に係るバルブ３０はその厚さによって中身の流れを制御するように構成される。そして、本実施形態に係る詰め替え容器用口栓１ではバルブ３０も同一の材料で形成される。すなわち、本実施形態に係るバルブ３０は、詰め替え容器用口栓１と一体で成形される。したがって、本実施形態に係る詰め替え容器用口栓１では、必要な材料を１種類だけとすることができ、製造工程を単純化することができ、そして、費用を抑えることができる。
【００５２】
注出部側壁４０は略同一径に形成されていても良い。しかしながら、注出部側壁４０は、その一端の付近が外方に突出する突出部４３を有していても良い。突出部４３が形成されることによって注出部側壁４０を本体容器の口部内面に確実に密着させることができる。なお、突出部４３は、本体容器の口部内面との密着性を上げる構成であれば良い。例えば、突出部４３は、一端に向かって肉厚が漸増するように形成されていても良く、肉厚自体は一定で、注出部側壁４０にテーパが形成されていても良い。
【００５３】
詰め替え容器用口栓１は図５に例示されるように、注出部側壁４０の突出部４３と、この注出部側壁４０につながった肩部１５とに側面視でＬ字状にくぼんだ溝４２を更に有していることが好ましい。突出部４３と、本体容器の口部内面とが密着し、肩部１５と、本体容器の口部天面とが密着した状態において、溝４２と、本体容器の口部内面、及び口部天面との間には空隙が形成される。なお、空隙は、めねじ１４と、おねじ１０４との間を経由して外部と連通している。
【００５４】
このように、図５に例示される詰め替え容器用口栓１は、本体容器の口部内面と、突出部４３との嵌合面、及び本体容器の口部天面と、肩部１５との嵌合面は溝４２以外において液密となる一方で、溝４２は空気の通り道となるように構成されている。したがって、詰め替えの際に、本体容器と、詰め替え容器用口栓１との間からより確実に中身がこぼれず、更に、本体容器の内部の空気が容易に排出されることによってより円滑に中身が流れるようにすることができる。
【００５５】
注出部１０は、図５に例示されるように、注出部側壁４０の他端の側に向かって内方に収縮する注出部誘い面４１を更に備えていることが好ましい。先端が、テーパ状に形成された注出部誘い面４１によって本体容器の開口に対して、詰め替え容器用口栓１を差し込みやすくすることができる。
【００５６】
更に、詰め替え容器用口栓１は、図５に例示されるように、注出部１０の他端で内方に突出する内周リブ４４を有することが好ましい。内周リブ４４を有する構成によれば、側壁部１２の他端に取り付けられたＰシール６０を注出部１０の他端にも取り付けやすくすることができる。なお、この場合には、詰め替え容器用口栓１の他端の側において外周リブ１３と、内周リブ４４とは面一であることがより好ましい。注出部１０に、取り外し可能なＰシール６０が取り付けられる構成によって、Ｐシール６０が取り外されるまで確実に中身を密封することができる。
【００５７】
なお、この場合のＰシール６０の材料は、中身を密封することができるものであれば特に限定はなく、例えば、ポリエチレン、ポリプロピレン、ポリエチレンテレフタラート、ポリスチレン、ポリ塩化ビニルが用いられる。更に、内周リブ４４へのＰシール６０の取り付けの方法は接着剤等による貼り付けであっても良いものの熱等による融着であることがより好ましい。
【００５８】
詰め替え容器用口栓１は、成形性に優れ、柔軟性を有し、密着性に優れ、詰め替え容器との接着性、好ましくは熱接着性に優れる材料であると良い。詰め替え容器用口栓１の材料としてより具体的には、低密度ポリエチレン、中密度ポリエチレン、高密度ポリエチレン、直鎖状低密度ポリエチレン、ポリプロピレン等のポリオレフィンや、エチレン酢酸ビニル共重合体等のポリオレフィンの共重合体、シリコーンゴム等のエラストマーを用いることができ、更に、これらの熱可塑性樹脂が混合されたものであっても良い。そして、これらの熱可塑性樹脂を用い、射出成形等によって、注出部１０にバルブ３０が一体に形成された詰め替え容器用口栓１を作製することができる。
【００５９】
本実施形態に係る詰め替え容器は、詰め替え容器用口栓１を備える。図６は、本実施形態に係る詰め替え容器用口栓１を備えた詰め替え容器８０の一例が示された正面図である。図６には、パウチ７０に詰め替え容器用口栓１が取り付けられた詰め替え容器８０が例示されている。
【００６０】
パウチ７０は、可撓性を有するフィルムが重ね合わされた上でその周縁部が接着されて袋状に形成されたものである。そして、図６に示されるように、接着部１１の正面側の側面１１ｆが、パウチ７０の一側の内面７１に接着され、図示せぬ接着部１１の背面側の側面が、パウチ７０の他側の内面に接着されている。接着部１１（正面側の側面１１ｆ）と、パウチ７０（内面７１）との接着は、熱融着であることが好ましいものの、接着剤等によって貼りつけても良い。
【００６１】
詰め替え容器８０の製造工程は、パウチ７０に図示せぬ中身が充填されてから詰め替え容器用口栓１が取り付けられても良く、先に、詰め替え容器用口栓１の取り付けられたパウチ７０に中身が充填されても良く、状況に応じて適宜選択される。先に、詰め替え容器用口栓１の取り付けられたパウチ７０に中身を充填する場合には、中身の充填用に、未接着の周縁部を残しておき、中身の充填後に接着が行われるようにすれば良い。
【００６２】
パウチ７０を構成するフィルムは、中身の性質や、包装材料としてのフィルムに要求される機能に応じて適宜選択される。フィルムは、単層であっても多層であっても良い。多層フィルムの場合には内側から例えば、ヒートシール層、及び基材層が積層された２層構造とすることができる。詰め替え容器用口栓１と接するパウチ７０の内側がヒートシール層とされることで、パウチ７０のヒートシール層と、詰め替え容器用口栓１の接着部１１とを容易に熱融着させることができる。
【００６３】
ヒートシール層には、ヒートシール性に優れた例えば、ポリエチレン、ポリプロピレン、エチレン−酢酸ビニル共重合体、環状ポリオレフィンといったポリオレフィンを原料としたフィルムが用いられれば良い。ヒートシール層の厚さは、１０ μｍ以上であることが好ましく、４０ μｍ以上であることがより好ましく、８０ μｍ〜２００ μｍであることが特に好ましい。基材層には例えば、ポリプロピレン、ポリエチレンテレフタレート、ポリアミドを原料に製造され、二軸延伸されたフィルムが用いられれば良い。基材層の厚さは、１０ μｍ〜５０ μｍであることが好ましく、１２ μｍ〜２５ μｍであることがより好ましい。更に、ヒートシール層は基材層に対して、２倍〜２０倍の厚さであることが好ましく、４倍〜１０倍の厚さであることがより好ましい。
【００６４】
多層フィルムには必要に応じて、酸素や水蒸気等の透過を阻止するガスバリア性や、可視光や紫外線等の透過を阻止する遮光性等を付加するためのバリア層が更に設けられても良い。バリア層には例えば、酸化アルミニウムや酸化ケイ素等の蒸着膜や、アルミニウム箔が用いられれば良い。バリア層は複数の層であっても構わない。更に、基材層の表面や、裏面には印刷層が設けられていても良い。各層の積層方法には限定はなく、例えばポリウレタン系接着剤によるドライラミネーションによって積層することができる。更に、基材層の表面には外層が設けられていても良い。
【００６５】
更に、詰め替え容器８０の包装形態についても特に限定はなく、例示されたパウチ７０以外にも、スタンディングパウチ、二方シール袋、三方シール袋、四方シール袋、ガゼット袋、ピロー包装袋、角底袋、バッグインボックス内袋、その他等の各種の包装形態から選択して用いることができる。更に、詰め替え容器８０は、上述された包装容器に限らず変形可能なボトルであっても良い。
【００６６】
次に、本実施形態に係る詰め替え容器８０による中身の詰め替え方法について詳細に説明する。図７は、本体容器１００に、詰め替え容器８０の中身の注出される状態が示された要部断面図である。なお、図７では、上述された図５や、図６等とは上下が反転され、詰め替え容器用口栓１の一端の側が上側に、詰め替え容器用口栓１の他端の側が下側に示されている。
【００６７】
詰め替えの際にはまず、詰め替え容器用口栓１から、ほこり除けとしてのＰシール６０が剥がされる。詰め替え容器用口栓１は、Ｐシール６０によって覆われて清浄な状態なので、詰め替え容器８０の口部や内面にほこりや菌等の異物が入らない状態で詰め替えが開始される。Ｐシール６０が剥がされたことによって露出した空間部２１が口部１０１と重なるように本体容器１００に、詰め替え容器８０が連結される。
【００６８】
詰め替えの際には、口部１０１が上を向いた本体容器１００の上方から詰め替え容器用口栓１が、その他端の側が下向きとなるように上下反転されて取り付けられる。このように、詰め替え容器８０がひっくり返されても、中身は、バルブ３０によって締め切られているのでこぼれない。したがって、詰め替えを始める前に、本体容器１００に、詰め替え容器８０を取り付ける際に勢い余って、詰め替え容器８０から中身をこぼすことがない。更に、詰め替えの際に、本体容器１００の側をひっくり返す必要がないので本体容器１００に残液があっても中身をこぼさずに詰め替えを行うことができる。
【００６９】
注出部１０は、その先端に、注出部誘い面４１がテーパ状に形成されていることによって本体容器１００の口部内面１０２に誘い込まれて本体容器１００の開口部１０３に挿入されやすくなっている。
【００７０】
次に、本体容器１００に対して詰め替え容器用口栓１を回転させると、本体容器１００のおねじ１０４（ねじ）と、詰め替え容器用口栓１の側壁部１２のめねじ１４とがかみ合い、詰め替え容器用口栓１が、本体容器１００の口部１０１にねじ込まれていく。その際には、注出部側壁４０と、側壁部１２とで詰め替え容器用口栓１が本体容器１００に対してセンタリングされているので、確実、かつスムースに回転が可能である。ここで、センタリングとは、ずれの生じている本体容器１００のおねじ１０４の回転軸と、詰め替え容器用口栓１のめねじ１４の回転軸とを一致させるように寄せることである。
【００７１】
詰め替え容器用口栓１が口部１０１にねじ込まれていく際には空間部２１の体積が減少するように、本体容器１００に対して回転しながら他端の側（図７の下側）に移動する。そして、本体容器１００の口部天面１０５が肩部１５に接した時点で本体容器１００に対する詰め替え容器８０の回転が完了する。本体容器１００と、詰め替え容器８０とが確実に連結されるので安定した詰め替え作業を行うことができる。なお、回転の完了は、これに限らず、本体容器１００と、めねじ１４とのかかりの完了等、種々の方法によって規定することができる。
【００７２】
本体容器１００に対する詰め替え容器８０の回転が完了した際には口部内面１０２と、突出部４３とが液密に嵌合し、口部天面１０５と、肩部１５とが液密に嵌合する。したがって、この時点で、詰め替え容器８０から本体容器１００へと中身が流れた場合に、口部内面１０２と、突出部４３との嵌合部、及び口部天面１０５と、肩部１５との嵌合部からの液漏れを防ぐことができる状態となっている。ただし、少なくとも、口部天面１０５と、肩部１５とが液密に嵌合していれば口部内面１０２と、突出部４３とが液密に嵌合していなくても液漏れを防ぐことができる。更に、嵌合部に溝４２が形成されることによって、空気の置換を行うことができ、そして、中身をより詰め替えやすくすることができる。
【００７３】
こうして、本体容器１００と、詰め替え容器８０とが確実に連結された状態で詰め替え容器８０のパウチ７０が手で握られるとバルブ３０の一端の側で圧力が高まる。圧力が高まることによってバルブ３０が変形して、詰め替え容器８０から本体容器１００までの流路部２０が連通する。そして、バルブ３０を通過した中身が本体容器１００に注ぎ出される。図７には、中身の流れｆが模式的に矢印で示されている。
【００７４】
パウチ７０を握る力加減に対応して注出される中身の流量が変化するので、所望の中身の注出量に容易に調節することができる。したがって、詰め替え容器８０は、安定して注ぐことができ、そして、絞り出しを最後まで容易とすることができる。更に、パウチ７０を握るのをやめることで注出を一時的に停止することができるため、複数の本体容器１００に連続して詰め替えを行ったり、詰め替え容器８０に中身が残った状態でも途中で、詰め替えを終了したりすることもできる。
【００７５】
バルブ３０は、流路部２０が連通した際にも、変形するのみで注出部１０からは分離しないため、詰め替え容器８０や本体容器１００の内部に脱落しない。したがって、バルブ３０が、詰め替え容器８０の内部に混入し、詰め替え容器８０が絞りだされる際の妨げになったり、詰め替え容器８０から本体容器１００への中身の流路を不必要にふさいだりしてしまうことがない。
【００７６】
詰め替え容器８０から本体容器１００へと中身が流れている間には、口部内面１０２と、突出部４３との間、及び口部天面１０５と、肩部１５との間では周方向に全周にわたって液密に嵌合している。これによって、口部内面１０２と、注出部側壁４０との間から口部天面１０５と、肩部１５との間を経て口部１０１の外周と、側壁部１２との間に至るまでの部分、すなわち空間部２１からの液漏れを防止することができる。
【００７７】
なお、一連の詰め替えの作業中には、本体容器１００の口部１０１は側壁部１２で覆われているので、外部から、埃やごみ等の異物が、本体容器１００の内部に入ることはない。
【００７８】
以上のように、本実施形態に係る詰め替え容器用口栓１の構成によれば、本体容器１００の口部１０１に詰め替え容器用口栓１を取り付けて中身を注出するまで誤って中身をこぼすことはない。更に、Ｐシール６０を有する構成によって、外部から、ほこりやごみ、菌等の異物が侵入することはない。更に、本実施形態に係る詰め替え容器用口栓１の構成によれば、バルブ３０の一端の側に圧力がかかっていないと中身の流れが締め切られるため漏れにくい。そして、詰め替え容器８０を握るか離すかによってバルブ３０にかかる圧力を調整できるため、中身の注出を一時的に停止することができ、複数の本体容器１００に対して分注したり、複数回小出しで詰め替えを行ったりすることができる。
【００７９】
本実施形態に係る詰め替え容器用口栓１では切り込み３１の形状を変更することによって注出の態様を変更することができる。図８は、詰め替え容器用口栓１の変形例が示された平面図である。図８に例示される変形例に係るバルブ３０ａは、バルブ３０ａの厚さ方向を貫通する切り込み３１ａを有しており、切り込み３１ａは平面視で、略４分の３円（Ｃ字状）に形成されている。なお、以下では、上述された実施形態と同様の構成、及び効果についての記載は適宜省略される。
【００８０】
バルブ３０ａは、注出部１０の一端の側の圧力が高まると、切り込み３１ａの端の付近を支点にして注出部１０の他端の側に向かって湾曲するように弾性変形する構成とされることは切り込み３１を有するバルブ３０と同様である。しかしながら、バルブ３０ａは、円の途切れている（図８の右）側を支点にして円の形成されている（図８の左）側が大きく注出部１０の他端の側に向かって開放される構成である。すなわち、バルブ３０ａが変形した際の切り込み３１ａが大きく変形しやすい構成である。
【００８１】
図９は、変形例に係る詰め替え容器８０の中身の注出される状態が示された要部断面図である。なお、図９では、左側が、バルブ３０ａの弾性変形の支点となる記載となっている。図９には、中身の流れｆａが模式的に矢印で示されている。
【００８２】
バルブ３０ａでは、円の形成されている（図９の右）側が、注出部１０の他端の（図９の下）側に向かって変形する。このため、詰め替え容器８０から本体容器１００に向けて連通する流路部２０が円の形成されている側に傾く。したがって、バルブ３０ａでは、中身の流れｆａを円の形成されている側に定めることができる。すなわち、中身の注出される方向を一定とすることができる。そして、バルブ３０ａは、切り込み３１ａの断面積が広がりやすいため、中身が、比較的高い粘度を有していても注出することができる。更に、バルブ３０ａは、比較的粘度の低い中身を多い流量で注出するのにも適している。
【００８３】
図１０は、詰め替え容器用口栓１の別の変形例が示された平面図である。図１０に例示される別の変形例に係るバルブ３０ｂは、バルブ３０ｂの厚さ方向を貫通する切り込み３１ｂを有しており、平面視で、隣接する切り込み３１ｂの端が互い違いに、内周側と、外周側とに配置されるように形成されている。
【００８４】
バルブ３０ｂは、隣の切り込み３１ｂの端の付近を支点にして切り込み３１ｂが、注出部１０の他端の側に向かって開放される構成である。すなわち、平面視で、バルブ３０ｂは、中央が、注出部１０の他端の（図１０の手前）側に向かって変形し、外周に、複数の流路部２０が形成されるような構成である。
【００８５】
図１１は、別の変形例に係る詰め替え容器８０の中身の注出される状態が示された要部断面図である。図１１には、中身の流れｆｂが模式的に矢印で示されている。
【００８６】
上述されたように、バルブ３０ｂでは、その外周に流路部２０が形成される。したがって、バルブ３０ｂでは、中身の流れｆｂの形状を中央が封鎖され、外周に筒状となるようにすることができる。これは、本体容器１００が円筒形の場合には壁に沿って中身が注出されることとなる。この構成によって詰め替えの際に泡立ちを抑えることができる。なお、バルブ３０ｂは、比較的粘度の低い中身を多い流量で注出するのに適している。
【００８７】
切り込み３１、切り込み３１ａ、及び切り込み３１ｂに例示されたように、その形状を変更することによって注出の態様を変更することができる。そして、切り込み３１の形状は、中身の物性、特に粘度や、本体容器１００、及び詰め替え容器８０の容量等に応じて適宜設定すれば良い。
【００８８】
上述されたバルブ３０は平坦に形成されていた。しかしながら、詰め替え容器用口栓１の他端の側に凸に湾曲するバルブ１３０が用いられることがより好ましい。図１２は、本体容器１００への別の実施形態に係る詰め替え容器８０の連結時の状態が示された要部断面図であり、図１３は、別の実施形態に係る詰め替え容器８０の中身の注出される状態が示された要部断面図である。
【００８９】
バルブ１３０は、中身の流れる方向に凸に湾曲するドーム状に形成されている。そして、バルブ１３０は、その厚さ方向を貫通する切り込み１３１を有する。なお、切り込み１３１は例えば、平面視で放射状に形成されている。
【００９０】
上述された平坦な構造のバルブ３０等では変形状態から圧力が取り除かれた際に弾性力のみで元の形に戻る。これに対し、バルブ１３０では、ドーム状とされていることによって弾性力に加えて形状によって、元の形に戻ろうとする力が働く。このため、バルブ１３０は変形状態から圧力が取り除かれた際の切り込み１３１の閉じが良く、中身の液切れを良好とすることができる。
【００９１】
なお、詰め替え容器用口栓１の他端の側に凸に湾曲する構成は、上述された変形例に係るバルブ３０ａや別の変形例に係るバルブ３０ｂ等にも適用することができる。図１４は、別の実施形態の変形例に係る詰め替え容器８０の中身の注出される状態が示された要部断面図であり、図１５は、別の実施形態の別の変形例に係る詰め替え容器８０の中身の注出される状態が示された要部断面図である。
【００９２】
バルブ１３０ａ、及びバルブ１３０ｂはともに、中身の流れる方向に凸に湾曲するドーム状に形成されている。そして、バルブ１３０ａ、及びバルブ１３０ｂは、それぞれの厚さ方向を貫通する切り込み１３１ａ、及び切り込み１３１ｂをそれぞれ有する。なお、切り込み１３１ａは平面視で、略４分の３円（Ｃ字状）に形成されており、切り込み１３１ｂは平面視で、隣接する切り込み１３１ｂの端が互い違いに、内周側と、外周側とに配置されるように形成されている。
【００９３】
バルブ３０ａの切り込み３１ａは大きく注出部１０の他端の側に向かって開放される構成であり、バルブ３０ｂの切り込み３１ｂは複雑に変形する構成である。したがって、バルブ３０ａ、及びバルブ３０ｂには変形状態から圧力が取り除かれた際に元の形に戻りにくくする因子が含まれている。しかしながら、バルブ３０ａ、及びバルブ３０ｂがドーム形状とされたバルブ１３０ａ、及びバルブ１３０ｂでは、形状によって、元の形に戻ろうとする力が付加される。このため、バルブ１３０ａ、及びバルブ１３０ｂもそれぞれ、変形状態から圧力が取り除かれた際の切り込み１３１ａ、及び切り込み１３１ｂの閉じが良く、中身の液切れを良好とすることができる。
【００９４】
上述された詰め替え容器用口栓１の側壁部１２の他端から突出する外周リブ１３にはＰシール６０が取り付けられていた。しかしながら、閉塞部材の構成はこれには限定されない。図１６は、別の実施形態に係る詰め替え容器用口栓１の一例が示された断面図である。上述された実施形態においては、注出部１０、及び側壁部１２の両方を兼用で覆うＰシール６０が取り付けられていた。これに対し、別の実施形態に係る詰め替え容器用口栓１は、注出部１１０を覆う第１の閉塞部材としてのＰシール１６０と、側壁部１２を覆う第２の閉塞部材としてのオーバーキャップ１６１とを備えている。
【００９５】
注出部１１０にはバルブ３０が形成されており、中身の流れが締め切られている。しかしながら、詰め替え容器８０が意図せずに強く握られると中身が漏れ出してしまう可能性がある。このため、初期状態においては注出部１１０には、中身が漏れ出すことを防ぐためのＰシール１６０が取り付けられていると良い。図１６に例示されるＰシール１６０は、注出部１１０の他端で内方に突出する内周リブ１４４に取り付けられている。Ｐシール１６０によって注出部１１０を確実にシールすることができる。なお、Ｐシール１６０の材料や、取り付け方法等については上述されたＰシール６０と同様で良い。
【００９６】
一方で、初期状態においては側壁部１２には、側壁部１２の内面に埃等の異物が混入することを防ぐためのオーバーキャップ１６１が取り付けられていると良い。図１６に例示されるオーバーキャップ１６１は、側壁部１２の他端で外方に突出する外周リブ１３に取り付けられている。オーバーキャップ１６１によって詰め替え容器用口栓１の内部への異物の混入を確実に防止することができる。なお、オーバーキャップ１６１の替わりにシュリンク包装や、Ｐシール等が用いられても良い。
【００９７】
なお、図１６に例示される詰め替え容器用口栓１では注出部１１０よりも側壁部１２の方が他端の側に突出するように構成されている。このように構成されることによって、オーバーキャップ１６１の他端側の面、すなわち天面を容易に平坦にすることができる。しかしながら、オーバーキャップ１６１は通常では、柔軟な材料によって形成される。したがって、上述された実施形態と同様に、詰め替え容器用口栓１の他端の側において外周リブ１３と、内周リブ１４４とが面一であっても良い。更に、オーバーキャップ１６１にシュリンク包装が用いられる場合には、注出部１１０が、側壁部１２よりも他端の側に突出していても取り付けることは可能である。
【００９８】
以上に説明がなされたように、本実施形態に係る詰め替え容器用口栓１は、一端から他端まで延びる筒状に形成され、他端から中身を注ぎ出す注出部１０と、注出部１０の外周面の側で、他端の側から延びる内周面に、本体容器１００の口部１０１に形成されているおねじ１０４とかみ合わされるめねじ１４が形成された側壁部１２とを有し、注出部１０にバルブ３０が一体に形成される。
【００９９】
本実施形態に係る構成よれば、バルブ３０によって中身の流れが締め切られている。このため、詰め替え容器８０が強く握られるまでは、詰め替え容器８０がいかなる向きとされても中身が漏れ出すことがない。すなわち、本体容器１００と、詰め替え容器８０との連結の際に勢い余って中身がこぼれてしまうことがなく、更に、本体容器１００に残液があっても問題なく詰め替えを行うことができる。更に、本実施形態に係る構成よれば、中身の流れを締め切るバルブ３０は、詰め替え容器８０が強く握られて、詰め替えが開始された後にも変形するだけで注出部１０から分離しない。このため、バルブ３０は、詰め替え容器８０の内部に混入し、詰め替え容器８０が絞りだされる際の妨げになったり、詰め替え容器８０から本体容器１００への中身の流路をふさいだりしてしまうことがない。
【０１００】
したがって、本実施形態によれば、詰め替えの際に、中身がこぼれず、円滑に流れる詰め替え容器用口栓１、及び詰め替え容器８０を提供することができる。
【０１０１】
更に、本実施形態に係る詰め替え容器用口栓１は、側壁部１２の他端には取り外し可能なＰシール６０やオーバーキャップ１６１が取り付けられると良い。このように構成されることによって、詰め替えの際に異物が混入することを防止することができる。
【産業上の利用可能性】
【０１０２】
本開示は、本体容器１００に対して中身を補充する詰め替え容器用口栓１、及びこれを備えた詰め替え容器８０に、特に、小分けのような使用形態に好適に利用することができる。しかしながら、本開示は、上述された実施形態に限定されるものではない。本開示の詰め替え容器８０に充填される中身も、流動性を有し、詰め替えて用いられるものであれば特に限定されず、化粧品、洗剤、医薬品等の日用品や、飲料、調味料等の食品、その他であっても良い。更に、本開示に係る詰め替え容器用口栓１を備えた詰め替え容器８０は、詰め替えの際に異物が混入することが効果的に防止されているため、防腐剤の無添加化粧品のような細心の注意を要する中身の収容にも好適である。そして、本開示の詰め替え容器８０が密封性を有するとともに、酸素や、水蒸気等に対するバリア性を付与することも可能であるので、長期保存用にも適している。
【符号の説明】
【０１０３】
１  詰め替え容器用口栓
１０、１１０  注出部
１２  側壁部
１３  外周リブ
１４  めねじ（ねじ）
３０、３０ａ、３０ｂ、１３０、１３０ａ、１３０ｂ  バルブ（流量制御部、弾性体）
３１、３１ａ、３１ｂ、１３１、１３１ａ、１３１ｂ  切り込み（流量制御部）
４１  注出部誘い面
４２  溝
４４、１４４  内周リブ
６０  Ｐシール（第２の閉塞部材）
７０  パウチ
８０  詰め替え容器
１６０  Ｐシール（第１の閉塞部材）
１６１  オーバーキャップ（第２の閉塞部材）
【図１】
2017114561.tif 000003
【図２】
2017114561.tif 000004
【図３】
2017114561.tif 000005
【図４】
2017114561.tif 000006
【図５】
2017114561.tif 000007
【図６】
2017114561.tif 000008
【図７】
2017114561.tif 000009
【図８】
2017114561.tif 000010
【図９】
2017114561.tif 000011
【図１０】
2017114561.tif 000012
【図１１】
2017114561.tif 000013
【図１２】
2017114561.tif 000014
【図１３】
2017114561.tif 000015
【図１４】
2017114561.tif 000016
【図１５】
2017114561.tif 000017
【図１６】
2017114561.tif 000018